(57)【要約】【課題】  筐体を構成する複数の筐体部品だけで構成できるネジ等の締結部品が不要な筐体部品の脱着構造を提供することにある。【解決手段】  複数の筐体部品から構成される筐体における前記筐体部品の脱着構造であって、脱着に係る第１の筐体部品は、所定の部位に略凸状の引っ掛け爪を有し、前記引っ掛け爪を有する筐体部品と嵌合する脱着に係る第２の筐体部品は、前記引っ掛け爪と対向する部位に略凹状の前記引っ掛け爪と嵌合する嵌合溝を有し、前記第１または第２の筐体部品の所定の部位に作業者の指が入るサイズ以上の略半円状の嵌合穴を有し、前記嵌合穴を有する前記第１または第２の筐体部品と嵌合する前記第２または第１の筐体部品は、前記嵌合穴と対向する部位に弾性変形機能を有する基材に形成された前記嵌合穴と略半円状に嵌合する半円爪を有することを特徴とする。【選択図】    図４
2015167165.tif 000002
【特許請求の範囲】
【請求項１】
複数の筐体部品から構成される筐体における前記筐体部品の脱着構造であって、
脱着に係る第１の筐体部品は、所定の部位に略凸状の引っ掛け爪を有し、前記引っ掛け爪を有する筐体部品と嵌合する脱着に係る第２の筐体部品は、前記引っ掛け爪と対向する部位に略凹状の前記引っ掛け爪と嵌合する嵌合溝を有し、
前記第１または第２の筐体部品の所定の部位に作業者の指が入るサイズ以上の略半円状の嵌合穴を有し、前記嵌合穴を有する前記第１または第２の筐体部品と嵌合する前記第２または第１の筐体部品は、前記嵌合穴と対向する部位に弾性変形機能を有する基材に形成された前記嵌合穴と略半円状に嵌合する半円爪を有することを特徴とするネジ止めが不要な筐体部品の脱着構造。
【発明の詳細な説明】
【技術分野】
【０００１】
本発明は、ネジ止めが不要な筐体部品の脱着構造に関する。
【背景技術】
【０００２】
電子機器などの筐体は、複数の筐体部品から構成され、保守時などそれら筐体部品を外し点検などするための筐体部品の脱着構造が設けられているのが一般的である（例えば、特許文献１）。
【０００３】
しかしながら、特許文献１に記載された筐体部品の脱着構造は、筐体を構成する筐体部品以外に筐体部品の脱着構造を構成するためのネジ等の締結部品を必要とし、その分、保守時などそれら締結部品を外す工程があり作業が手間取るという問題がある。
【先行技術文献】
【特許文献】
【０００４】
【特許文献１】特開２０１２−２５６８０５号公報
【発明の概要】
【発明が解決しようとする課題】
【０００５】
そこで、本発明は筐体を構成する複数の筐体部品だけで構成できるネジ等の締結部品が不要な筐体部品の脱着構造を提供することにある。
【課題を解決するための手段】
【０００６】
上記の課題を解決するために、本発明は、複数の筐体部品から構成される筐体における前記筐体部品の脱着構造であって、脱着に係る第１の筐体部品は、所定の部位に略凸状の引っ掛け爪を有し、前記引っ掛け爪を有する筐体部品と嵌合する脱着に係る第２の筐体部品は、前記引っ掛け爪と対向する部位に略凹状の前記引っ掛け爪と嵌合する嵌合溝を有し、前記第１または第２の筐体部品の所定の部位に作業者の指が入るサイズ以上の略半円状の嵌合穴を有し、前記嵌合穴を有する前記第１または第２の筐体部品と嵌合する前記第２または第１の筐体部品は、前記嵌合穴と対向する部位に弾性変形機能を有する基材に形成された前記嵌合穴と略半円状に嵌合する半円爪を有することを特徴とする。
【発明の効果】
【０００７】
本発明によれば、筐体を構成する複数の筐体部品だけで構成できるネジ等の締結部品が不要な筐体部品の脱着構造を提供できる。
【図面の簡単な説明】
【０００８】
【図１】本発明の実施の一形態に係る電子機器を示す斜視図
【図２】図１の状態からリアケースをはずした状態を示す図
【図３】図１の状態からフロントケースをはずした状態を示す図
【図４】フロントケースとリアケースの嵌合を示す図１のＡ−Ａ線断面図
【図５】フロントケースとリアケースの嵌合を示す図１のＢ−Ｂ線断面図
【図６】本発明の実施の一形態に係る電子機器を示す斜視図
【図７】図６の状態からフロントケースおよびリアケースをはずした状態を示す図
【発明を実施するための形態】
【０００９】
以下に、電子機器を例に、図面を参照しながら、本発明の実施の一形態について説明する。ただし、以下の説明は、あくまでも本発明の例示にすぎず、以下の記載によって発明の技術的範囲が限定されるものではない。
【実施例１】
【００１０】
図１は、本発明の実施の一形態に係る電子機器１を示す斜視図である。電子機器１の筐体を構成するフロントケース２と、電子機器１の筐体を構成するリアケース３から成る構造を表している。複数の筐体部品から構成される筐体におけるネジ止めが不要な筐体部品の脱着構造について、以下で説明する。
【００１１】
図２は、図１の状態からリアケース３をはずした状態を示す図である。フロントケース２の下部側面に作業者の指が入るサイズ以上の略半円状の嵌合穴２０、２１を有する。なお、嵌合穴２０、２１は、２箇所設けているが、筐体のサイズ等に応じて数は問わない。また、設置個所については本発明の趣旨を阻害しないものであれば、これに限定されないものとする。
【００１２】
フロントケース２の上部内面に略凸状の引っ掛け爪２２、２３を有する。なお、引っ掛け爪２２、２３は、２箇所設けているが、筐体のサイズ等に応じて数は問わない。また、設置個所については本発明の趣旨を阻害しないものであれば、これに限定されないものとする。
【００１３】
図３は、図１の状態からフロントケース２をはずした状態を示す図である。リアケース３には前述の嵌合穴２０、２１と対向する部位に、弾性変形機能を有する基材に形成された前述の嵌合穴２０、２１と略半円状に嵌合する半円爪３０、３１を有する。なお、半円爪３０、３１は、２箇所設けているが、筐体のサイズ等に応じて数は問わない。また、設置個所については本発明の趣旨を阻害しないものであれば、これに限定されないものとする。
【００１４】
前述の引っ掛け爪２２、２３と対向する部位に略凹状の前述の引っ掛け爪２２、２３と嵌合する嵌合溝３２、３３を有する。なお、嵌合溝３２、３３は、２箇所設けているが、筐体のサイズ等に応じて数は問わない。また、設置個所については本発明の趣旨を阻害しないものであれば、これに限定されないものとする。
【００１５】
図４は、フロントケース２とリアケース３の嵌合を示す図１のＡ−Ａ線断面図である。嵌合穴２０に半円爪３０を嵌合した状態を表している。嵌合穴２１に半円爪３１を嵌合した状態も同様である（図示せず）。
【００１６】
図５は、フロントケース２とリアケース３の嵌合を示す図１のＢ−Ｂ線断面図である。引っ掛け爪２２が嵌合溝３２に嵌合した状態を表している。引っ掛け爪２３が嵌合溝３３に嵌合した状態も同様である（図示せず）。
【００１７】
なお、上記一実施例では、筐体の下部に嵌合穴２０、２１およびを半円爪３０、３１有し、筐体の上部に引っ掛け爪２２、２３および嵌合溝３２、３３を有する場合について説明したが、筐体の下部に引っ掛け爪２２、２３および嵌合溝３２、３３を有し、筐体の上部に嵌合穴２０、２１および半円爪３０、３１を有する場合も同様である（図示せず）。
【００１８】
また、フロントケース２に嵌合穴２０、２１および引っ掛け爪２２、２３を有し、リアケース３に半円爪３０、３１および嵌合溝３２、３３を有する場合について説明したが、フロントケース２に半円爪３０、３１および嵌合溝３２、３３を有し、リアケース３に嵌合穴２０、２１およびを引っ掛け爪２２、２３を有する場合も同様である（図示せず）。
【実施例２】
【００１９】
図６は、本発明の実施の一形態に係る電子機器１を示す斜視図である。電子機器１の筐体を構成するフロントケース２と、電子機器１の筐体を構成するミドルケース４と、電子機器１の筐体を構成するリアケース３から成る構造を表している。フロントケース２については、実施例１と同様であり、リアケース３については、フロントケース２と同様である。
【００２０】
図７は、図６の状態からフロントケース２およびリアケース３をはずした状態を示す図である。ミドルケース４には前述の嵌合穴２０、２１と対向する部位に、弾性変形機能を有する基材に形成された前述の嵌合穴２０、２１と略半円状に嵌合する半円爪４０、４１を有する。なお、半円爪４０、４１は、２箇所設けているが、筐体のサイズ等に応じて数は問わない。また、設置個所については本発明の趣旨を阻害しないものであれば、これに限定されないものとする。
【００２１】
前述の引っ掛け爪２２、２３と対向する部位に略凹状の前述の引っ掛け爪２２、２３と嵌合する嵌合溝４２、４３を有する。なお、嵌合溝４２、４３は、２箇所設けているが、筐体のサイズ等に応じて数は問わない。また、設置個所については本発明の趣旨を阻害しないものであれば、これに限定されないものとする。
【００２２】
フロントケース２側のフロントケース２との嵌合構造を説明したが、リアケース３側にもリアケース３と嵌合構造を成す前述の半円爪４０、４１および嵌合溝４２、４３を有する（図示せず）。実施例２では、電子機器１の筐体を構成する筐体部品が３の場合を説明した例である。
【００２３】
以上説明した通り、本発明によれば、筐体を構成する複数の筐体部品だけで構成できるネジ等の締結部品が不要な筐体部品の脱着構造を提供できる。
【００２４】
なお、実施の一形態においては、電子機器を例に説明したが、本発明の構造は、複数の筐体部品から構成される筐体一般に適用可能であり、電子機器以外に、特にネジ等の締結部品が不要な筐体部品の脱着性を求められる機器にも適している。
【符号の説明】
【００２５】
１…電子機器、２…フロントケース、３…リアケース、４…ミドルケース、２０…嵌合穴、２１…嵌合穴、２２…引っ掛け爪、２３…引っ掛け爪、３０…半円爪、３１…半円爪、３２…嵌合溝、３３…嵌合溝、４０…半円爪、４１…半円爪、４２…嵌合溝、４３…嵌合溝
【図１】
2015167165.tif 000003
【図２】
2015167165.tif 000004
【図３】
2015167165.tif 000005
【図４】
2015167165.tif 000006
【図５】
2015167165.tif 000007
【図６】
2015167165.tif 000008
【図７】
2015167165.tif 000009